(57)【要約】【課題】自動車の座席から介助用車椅子に被介護者を移し替える作業を簡単にする介助用車椅子を提供する。【解決手段】車体フレームの前部両側に設けられる左右一対の前輪と前記車体フレームの後部両側に設けられる左右一対の後輪とを有する走行車体と、床面に対して略水平に配設される座席部と、その座席部の後方に設けられ、前記座席部に対して略直角に立ち上がる位置から略同一平面をなす位置まで傾動可能に連結される背もたれ部と、前記座席部上に配置されるスライドシートとを有し、前記スライドシートは、前記背もたれ部を前記座席部と略同一平面をなす位置まで傾動させてストレッチャー状とした状態で、前記座席部上の位置から前記背もたれ部上の位置まで前記走行車体の前後方向にスライド可能とする。【選択図】図８
2013005999.tif 000002
【特許請求の範囲】
【請求項１】
車体フレームの前部両側に設けられる左右一対の前輪と前記車体フレームの後部両側に設けられる左右一対の後輪とを有する走行車体と、床面に対して略水平に配設される座席部と、その座席部の後方に設けられ、前記座席部に対して略直角に立ち上がる位置から略同一平面をなす位置まで傾動可能に連結される背もたれ部と、前記座席部上に配置されるスライドシートとを有し、前記スライドシートは、前記背もたれ部を前記座席部と略同一平面をなす位置まで傾動させてストレッチャー状とした状態で、前記座席部上の位置から前記背もたれ部上の位置まで前記走行車体の前後方向にスライド可能となっていることを特徴とする介助用車椅子。
【請求項２】
前記スライドシートは、前記背もたれ部上の位置で、前記背もたれ部と平行な面内で、かつ、中心を回転中心として、少なくとも９０度回転可能となっていることを特徴とする請求項１に記載の介助用車椅子。
【発明の詳細な説明】
【技術分野】
【０００１】
本発明は、介助用車椅子に関し、詳しくは、自動車の座席との間でお年寄りや身体障害者、病人等の被介護者の移し替え作業を簡単にする介助用車椅子に関する。
【背景技術】
【０００２】
従来から、介助用車椅子は、お年寄りや身体障害者、病人等の被介護者を移送するために用いられてきた。また、ベッドや浴室台などの台から介助用車椅子への被介護者の移し替え作業や、介助用車椅子からベッド等の台への被介護者の移し替え作業は、看護婦などの介護者が直接抱きかかえて行っているので、力の弱い女子にあっては、大変困難であり、被介護者を抱きかかえる複数の介護者を必要とすることも多くあった。
【０００３】
特に、丘陵地にある公園墓地や保護施設にお年寄りや身体障害者等の被介護者が訪問する際、自動車の座席と介助用車椅子との間で被介護者の移し替え作業を行なうときに、介助用車椅子が斜面を転がり落ちようとすることが多くあった。このため、被介護者を自動車の座席と介助用車椅子との間で移し替えるためには、被介護者を支える介護者だけでなく、介助用車椅子を固定する介護者と、自動車を操作する補助者が必要であった。このため、人手のないお年寄りなどは、丘陵地へのお墓参りを希望してもできないという問題があった。
【０００４】
一方、介助用車椅子からベッドへの移し変え作業の困難性を軽減させることを目的とした介助用車椅子が、例えば、特許文献１、２に記載されている。特許文献１の介助用車椅子は、その後部両端に左右一対の大径の後輪が取り付けられ、その前部に左右一対の小径の前輪が取り付けられる走行車体と、前記走行車体上に、座位を略ベッド高さに支持するために立設される支持台と、前記支持台上に、前記走行車体の進行方向に対して左右側へスライド可能に取り付けられる座部と、前記座部の後端に、該座部と同一水平面上まで傾動可能な状態で連結される背もたれ部と、前記座部の前端に、該座部と同一水平面上まで傾動可能な状態で連結される足載せ部とを備える（請求項１参照）。
【０００５】
この特許文献１の介助用車椅子は、ベッド等の台へ被介護者を移し変えるときは、まず、前記背もたれ部と前記脚載せ部を前記座部と同一水平面となる位置まで傾動させてストレッチャー状とすることで被介護者を座った状態から寝かせた状態とし、次いで、ベッドの側面に横付けした状態で、前記背もたれ部と前記脚載せ部と前記座部とを一体にベッド側（左右方向）へスライドさせる。次に、被介護者をベッド側へずらすようにして移動させることで最小限の労力で容易にベッドへの移し替えができる。ベッド等の台から介助用車椅子へ被介護者を移し変えるときは、前記と逆の手順で移し変え作業が行なわれる。
【０００６】
特許文献２の介助用車椅子は、背もたれ部、下肢支持部及び足乗せ部等の展開部材が椅子座面に展開可能に連結され、該展開部材は展開時に椅子座面と同一水平面をなして水平支持台を形成するようにされたベッド移乗用車椅子であって、ベッドに対してベッドサイド部との干渉をさける凹所を有しベッドサイド部からベッド中央部まで前進挿入できる側面コ字型の台車と、該台車の上部に昇降可能に設けられた昇降部材と、該昇降部材に左右９０度回転可能に設けられた回転座面部とを備え、該回転座面部に前記水平支持台を配設し、前記回転座面部と昇降部材との間に、前記水平支持台をその長手方向軸周りに傾斜させる傾斜駆動手段を設けたものである（請求項３参照）。
【０００７】
この特許文献２の介助用車椅子は、ベッド等の台へ被介護者を移し変えるときは、まず、前記回転座面部を９０度回転させ、この状態から背もたれ部と下肢支持部と足乗せ部とを水平に展開して水平支持台を形成してストレッチャー状とすることで被介護者を座った状態から寝かせた状態にする。次に、介護者は、介助用車椅子を前進させて、前記台車のコの字型空間部内にベッドのサイド部からベッドの中央部までを挿入する。この状態で、前記水平支持台をその長手方向軸周りに傾斜させることにより、被介護者を寝かせたままベッド側に滑り降ろす。この後、被介護者を横臥状態にして、介助用車椅子をベッドから後退させ、続いて被介護者を仰臥状態にする。
【０００８】
このように特許文献２の介助用車椅子は、介護者をストレッチャー状の介助用車椅子に寝かせたままベッド側に滑り降ろすことで、ベッドから介助用車椅子、あるいは介助用車椅子からベッドへの移し替え作業を介護者一人でも容易とするものである。
【先行技術文献】
【特許文献】
【０００９】
【特許文献１】特開２００６−２８０７５９号公報
【特許文献２】特開２００３−１４４４９６号公報
【発明の概要】
【発明が解決しようとする課題】
【００１０】
ところで、上記特許文献１、２の介助用車椅子は、自動車の座席との間で被介護者を上記のように寝かせたまま移し替えようとする場合、自動車の中に入れてストレッチャー状とし、自動車の座席の前部に沿って側端を隣接させる必要がある。しかし、自動車の中は一般に狭いので、自動車の中で介助用車椅子をストレッチャー状としたり、ストレッチャー状の介助用車椅子の側端を自動車の座席の前部に沿って隣接させたりすることができない。そのため、特許文献１、２の介助用車椅子を用いても、自動車の座席との間で被介護者を移し替える際に、被介護者を抱きかかえた状態で行なう必要があった。特に、自動車の中は狭いので、複数の介護者が協力して被介護者を抱きかかえることが困難であり、自動車の座席から介助用車椅子への被介護者の移し替え作業は極めて困難なものとなっていた。
【００１１】
そこで、自動車の座席と介助用車椅子との間で被介護者の移し替え作業を簡単にするために、介助用車椅子の座席部を自動車の座席の横側に隣接させることが考えられるが、車体フレームの前部に設けられた前輪や足載せ部が邪魔になったり、自動車のボディーが邪魔になったりして、自動車の座席の横側に座席部を隣接させることができない。
【００１２】
また、上記特許文献１、２のストレッチャー状とした介助用車椅子の背もたれ部を自動車の座席の横側に隣接させることも考えられる。しかし、この場合、被介護者を抱きかかえることなく自動車の座席と背もたれ部との間で移し替えを行なうことができるが、被介護者を背もたれ部の位置と座席部の位置との間を移動させる手間が生じてしまう。このため、自動車の座席と介助用車椅子との間で被介護者を移し替える作業を簡単にすることはできなかった。
【００１３】
そこで、本発明の課題は、自動車の座席との間で被介護者の移し替え作業に携わる介護者が少なくて済み、しかも自動車の座席との間で被介護者の移し替え作業を簡単にする介助用車椅子を提供することである。
【課題を解決するための手段】
【００１４】
請求項１に係る発明は、上記した従来技術の問題点を解決すべくなされたものであって、  車体フレームの前部両側に設けられる左右一対の前輪と前記車体フレームの後部両側に設けられる左右一対の後輪とを有する走行車体と、床面に対して略水平に配設される座席部と、その座席部の後方に設けられ、前記座席部に対して略直角に立ち上がる位置から略同一平面をなす位置まで傾動可能に連結される背もたれ部と、前記座席部上に配置されるスライドシートとを有し、前記スライドシートは、前記背もたれ部を前記座席部と略同一平面をなす位置まで傾動させてストレッチャー状とした状態で、前記座席部上の位置から前記背もたれ部上の位置まで前記走行車体の前後方向にスライド可能となっていることを特徴とする介助用車椅子に関する。
【００１５】
請求項２に係る発明は、前記スライドシートは、前記背もたれ部上の位置で、前記背もたれ部と平行な面内で、かつ、中心を回転中心として、少なくとも９０度回転可能となっていることを特徴とする請求項１に記載の介助用車椅子に関する。
【発明の効果】
【００１６】
請求項１に係る発明によれば、介助用車椅子をストレッチャー状とすると、スライドシートが座席部上の位置から背もたれ部上の位置まで走行車体の前後方向にスライド可能となるので、自動車の座席と介助用車椅子との間で被介護者を移し替える際、背もたれ部を自動車の座席の横側に隣接させれば、被介護者を抱きかかえることなく、自動車の座席とスライドシートとの間で移し替えを行なうことができるとともに、スライドシート上の被介護者を背もたれ部の位置と座席部の位置との間を簡単に移動させることができる。そのため、自動車の座席と介助用車椅子との間で被介護者の移し替え作業に携わる介護者が少なくて済むとともに、自動車の座席と介助用車椅子との間で被介護者の移し替え作業を簡単にすることができる。そのため、例えば、お年寄り等の被介護者が丘陵地にあるお墓を参ろうとする場合においても、自動車の座席から介助用車椅子に移し替える際に必要な人手が少なくて済み、人手が少ないお年寄りでもお墓参りができる。
【００１７】
請求項２に係る発明によれば、前記スライドシートは、前記背もたれ部上の位置で、前記背もたれ部と平行な面内で、かつ、中心を回転中心として、少なくとも９０度回転可能となっていることにより、被介護者をスライドシートに載せたときに、被介護者の向きが前記走行車体の前方を向いていなくても、被介護者の向きを前記走行車体の前方に変えやすくなるとともに、被介護者をスライドシート上から自動車の座席に移し替えるときに、被介護者の向きを移し替えやすい向きに変えることができる。このため、自動車の座席と介助用車椅子との間で被介護者の移し替え作業をさらに簡単にすることができる。
【図面の簡単な説明】
【００１８】
【図１】本発明の実施形態の介助用車椅子を示す側面図
【図２】図１の介助用車椅子の走行車体を示す背面図
【図３】図１の介助用車椅子のストレッチャー状態を示す平面図
【図４】図１の介助用車椅子のストレッチャー状態を示す正面図
【図５】図１のＡ−Ａ線で切断した部分拡大断面図
【図６】図５のスライドシート用金具を示す平面図と側面図
【図７】図１のスライドシートを示す平面図と側面図
【図８】図１のスライドシートをスライドさせた状態を示す平面図
【発明を実施するための形態】
【００１９】
以下、本発明の実施形態の介助用車椅子について図面を参照しながら説明する。
【００２０】
本発明の実施形態の介助用車椅子１は、図１〜３に示すように、車体フレームの前部両側に設けられる左右一対の大径の前輪２と、車体フレームの後部両側に設けられる左右一対の小径の後輪３とを備える走行車体４と、床面ｆに対して略水平に配設される正方形状の座席部５と、座席部５の後方に配設される長方形状の背もたれ部６と、座席部５上に配置されるスライドシート７とを有する。
【００２１】
車体フレームは、座席部５の左右両側面に沿って延びて座席部５の前方の位置から斜め下方に屈曲するへ字状の座席フレーム８と、両座席フレーム８の上方で座席フレーム８と平行に延びて下方に屈曲するコ字状の肘掛フレーム９と、座席フレーム８の後端に傾動可能に連結される逆Ｕ字状の背面フレーム１０と、後輪フレーム１１とを有する。両座席フレーム８の下端部には脚載せ部１２が設けられている。肘掛フレーム９は、座席部５の前側と後側の位置で座席フレーム８と一体に結合して座席フレーム８の下方に至っている。後輪フレームは、両肘掛フレーム９の後側の座席フレーム８近傍の位置から斜め下方に向かって延びている。両肘掛フレーム９の上には、肘掛パッド１３が設けられている。
【００２２】
前輪２は、肘掛フレーム９の前側の下端部に回動可能に取り付けられている。前輪２の側面には前輪２を回すための円形の前輪ハンドル１４が設けられている。後輪３は、後輪フレーム１１の下端部に自在に向きが変わるように取り付けられている。背面フレーム１０には、後方に突出するハンドルバー１５が設けられている。ハンドルバー１５には前輪２の回転を止めるブレーキ１６が設けられている。
【００２３】
座席部５は、両座席フレーム８の内側に設けられた前後方向に延びる支持部材１７の上に載せられた状態でボルト等の固定部材により締め付けられて固定されている。背もたれ部６は、背面フレーム１０の内側に設けられた板金１８に載せられた状態で固定部材により板金１８に締め付けて固定されている。背面フレーム１０には、後輪フレーム１１に固定された駆動シリンダ１９が設けられている。
【００２４】
駆動シリンダ１９は、走行車体４の側面に設けたハンドルレバー２０を操作することで、固定装置２１を開閉することができ、固定装置２１を開にすることにより駆動シリンダ１９のロッド２２が伸び縮み可能となる。これにより、介助用車椅子１は、駆動シリンダ１９の固定装置２１を開にした状態で背もたれ部６を倒すと、背もたれ部６が座席部５に対して略直角に立ち上がる位置から略同一平面をなす位置まで傾動させることができ、図３、４に示すように、ストレッチャー状となる。
【００２５】
座席部５には、図３に示すように、上下方向に貫通する貫通孔２３が中央部近傍から後端中央部まで連続して長孔状に形成されている。貫通孔２３は、図５に示すように、上部２３ａの左右寸法が小さく形成され、下部２３ｂの左右寸法が大きく形成された断面段差状に形成されている。背もたれ部６には、図３に示すように、座席部５の貫通孔２３と同一形状の貫通孔２４が前端中央部から後方中央部まで連続して長孔状に形成されている。
【００２６】
座席部５の貫通孔２３には、図５、６に示すように、上部外径が小径に形成された小径筒部２５ａと、下部外径が大径に形成された大径筒部２５ｂとからなる断面段差状のスライドシート用金具２５が挿入される。小径筒部２５ａの外径寸法は、貫通孔２３の上部２３ａの左右寸法よりも僅かに小さく形成され、大径筒部２５ｂの外径寸法は、貫通孔２３の下部２３ｂの左右寸法よりも僅かに小さく形成される。スライドシート用金具２５には、上下方向に貫通する断面円形の貫通孔２６が形成されている。
【００２７】
スライドシート７は、図７に示すように、座席部５の大きさとほぼ同じ大きさの正方形状に形成された板部材２７と、板部材２７の下面中央に設けられた円柱状の突部２８と、板部材２７の下面に約半分が嵌め込まれた状態で回転自在の複数の玉２９とを有する。また、スライドシート７は、突部２８がスライドシート用金具２５の貫通孔２６の径よりも僅かに径が小さく形成されており、図５に示すように、スライドシート用金具２５との間で座席部５を上下方向から挟み込むようにして、突部２８をスライドシート用金具２５の貫通孔２６に嵌め込むことにより、座席部５から抜け止めされている。これにより、スライドシート７は、スライドシート用金具２５と一体となって、図７、８に示すように、座席部５上の位置から背もたれ部６上の後方部の位置まで貫通孔２３、２４に沿って走行車体４の前後方向にスライド自在となるとともに、背もたれ部６上の位置で、背もたれ部６と平行な面内で、かつ、中心ｃを回転中心として３６０度回転可能となる。また、スライドシート７の材質は、金属やプラスチックなどいずれでもよいが、軽量化の点からプラスチックが好ましい。
【００２８】
座席部５の下面と背もたれ部６の後面には、図３〜５に示すように、スライドシート用金具２５を覆うように断面コ字状のカバー部材３０が固定されている。
【００２９】
お年寄りや身体障害者、病人等の被介護者ａを介護する介護者は、上記のように構成された介助用車椅子１を次のようにして操作して、自動車の座席と介助用車椅子１との間で被介護者ａの移し替えを行なう。
【００３０】
自動車の座席から介助用車椅子１に被介護者ａを移し替える場合は、まず、ハンドルレバー１５を操作するとともに背もたれ部６を押し倒すことにより、図８に示すように、介助用車椅子１をストレッチャー状とする。次に、自動車のドアを開けた状態で、被介護者ａが座っている座席の横側に背もたれ部６の側端６ａが背面プレート１０を介して隣接するように介助用車椅子１を移動させる。このとき、背もたれ部６の前記座席に隣接させる部分は後端６ｂでもよい。
【００３１】
次いで、スライドシート７を座席部５の位置から背もたれ部６上の後方部の位置にスライドさせる。その後、被介護者ａの向きを自動車の座席に座ったままスライドシート７側に変えるとともに、被介護者ａの足をスライドシート７上に載せる。この状態で、被介護者ａのお尻が座席から少し浮く程度に被介護者ａを支えながらスライドシート７側に移動させて、被介護者ａのお尻をスライドシート７上に載せる。自動車の座席の高さがスライドシート７の高さと同じくらいの場合は、被介護者ａが自動車の座席に座っている状態からスライドシート７側にずらすようにしてスライドシート７上に載せることもできる。
【００３２】
次に、被介護者ａが走行車体４の前方を向くようにスライドシート７を９０度回転させた後、スライドシート７を座席部５の位置までスライドさせる。この状態から、被介護者ａの足を足載せ部１２に載せて、ハンドルレバー１５を操作するとともに、背もたれ部６を持ち上げることで、図１に示すように、自動車の座席から介助用車椅子１への被介護者ａの移し替え作業が完了する。
【００３３】
介助用車椅子１から自動車の座席に移し替える場合は、前記と逆の手順で行なわれる。具体的には、まず、図１に示す状態から、ハンドルレバー１５を操作するとともに、背もたれ部６を押し倒すことにより、介助用車椅子１をストレッチャー状とする。次に、自動車のドアを開けた後、自動車の座席の横側に背もたれ部６の側端６ａが背面プレート１０を介して隣接するように介助用車椅子１を移動させる。このとき、背もたれ部６の前記座席に隣接させる部分は後端６ｂでもよい。
【００３４】
次いで、被介護者ａの足をスライドシート７上に載せて、スライドシート７を座席部５の位置から背もたれ部６の後方部の位置までスライドさせる。そして、被介護者ａの向きを自動車の座席に向くようにスライドシート７を９０度回転させて、被介護者ａの足を自動車の座席に載せる。背もたれ部６の後端６ｂを自動車の座席の横側に隣接させている場合は、スライドシート７を１８０度回転させることにより、被介護者ａの向きを自動車の座席に向くようにする。
【００３５】
そして、被介護者ａの足を自動車の座席の上に載せ、この状態で、被介護者ａのお尻がスライドシート７から少し浮く程度に被介護者ａを支えながら自動車の座席側に移動させて、被介護者ａのお尻を自動車の座席上に載せる。自動車の座席の高さがスライドシート７の高さと同じくらいの場合は、スライドシート７上の被介護者ａの向きを自動車の前方と同じ向きになるようにスライドシート７を回転させ、この状態で、スライドシート７上の被介護者ａを自動車の座席側にずらすようにして自動車の座席に載せることもできる。
【００３６】
その後、被介護者ａの向きを自動車の前方を向くように変えるとともに、被介護者の足を自動車の座席から降ろす。このようにして、被介護者ａを介助用車椅子１から自動車の座席に移し替える。
【００３７】
介助用車椅子１は、介護者が自動車の座席との間で被介護者ａを移し替える際に、被介護者ａを抱きかかえることなく自動車の座席とスライドシート７との間で移し替えることができるとともに、スライドシート７をスライドさせるだけで、被介護者ａを座席部５の位置と背もたれ部６の位置との間で簡単に移動させることができる。このため、介助用車椅子１は、自動車の座席との間で被介護者ａの移し替え作業に携わる介護者が複数人必要なく、例えば、女性一人であっても被介護者ａの移し替え作業ができるなど、自動車の座席との間で被介護者ａの移し替え作業が簡単である。
【００３８】
上記実施形態では、介助用車椅子１は、自動車の座席との間で被介護者ａを移し替えるために使用したが、これに限定されるものではなく、ベッド等の台との間で被介護者ａを移し替えるために使用してもよい。
【符号の説明】
【００３９】
１        介助用車椅子
２        前輪
３        後輪
４        走行車体
５        座席部
６        背もたれ部
７        スライドシート
ｃ        中心
ｆ        床面
【図１】
2013005999.tif 000003
【図２】
2013005999.tif 000004
【図３】
2013005999.tif 000005
【図４】
2013005999.tif 000006
【図５】
2013005999.tif 000007
【図６】
2013005999.tif 000008
【図７】
2013005999.tif 000009
【図８】
2013005999.tif 000010
【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
車体フレームの前部両側に設けられる左右一対の前輪と前記車体フレームの後部両側に設けられる左右一対の後輪とを有する走行車体と、床面に対して略水平に配設される座席部と、その座席部の後方に設けられ、前記座席部に対して略直角に立ち上がる位置から略同一平面をなす位置まで傾動可能に連結される背もたれ部と、前記座席部上に配置されるスライドシートとを有し、
前記スライドシートは、前記背もたれ部を前記座席部と略同一平面をなす位置まで傾動させてストレッチャー状とした状態で、前記座席部上の位置から前記背もたれ部上の位置まで前記走行車体の前後方向にスライド可能であり、前記背もたれ部上の位置で、前記背もたれ部と平行な面内で、かつ、中心を回転中心として、少なくとも９０度回転可能となっていることを特徴とする介助用車椅子。
【手続補正２】
【補正対象書類名】明細書
【補正対象項目名】００１４
【補正方法】変更
【補正の内容】
【００１４】
請求項１に係る発明は、上記した従来技術の問題点を解決すべくなされたものであって、車体フレームの前部両側に設けられる左右一対の前輪と前記車体フレームの後部両側に設けられる左右一対の後輪とを有する走行車体と、床面に対して略水平に配設される座席部と、その座席部の後方に設けられ、前記座席部に対して略直角に立ち上がる位置から略同一平面をなす位置まで傾動可能に連結される背もたれ部と、前記座席部上に配置されるスライドシートとを有し、前記スライドシートは、前記背もたれ部を前記座席部と略同一平面をなす位置まで傾動させてストレッチャー状とした状態で、前記座席部上の位置から前記背もたれ部上の位置まで前記走行車体の前後方向にスライド可能であり、前記背もたれ部上の位置で、前記背もたれ部と平行な面内で、かつ、中心を回転中心として、少なくとも９０度回転可能となっていることを特徴とする介助用車椅子に関する。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
請求項１に係る発明によれば、介助用車椅子をストレッチャー状とすると、スライドシートが座席部上の位置から背もたれ部上の位置まで走行車体の前後方向にスライド可能となるので、自動車の座席と介助用車椅子との間で被介護者を移し替える際、背もたれ部を自動車の座席の横側に隣接させれば、被介護者を抱きかかえることなく、自動車の座席とスライドシートとの間で移し替えを行なうことができるとともに、スライドシート上の被介護者を背もたれ部の位置と座席部の位置との間を簡単に移動させることができる。そのため、自動車の座席と介助用車椅子との間で被介護者の移し替え作業に携わる介護者が少なくて済むとともに、自動車の座席と介助用車椅子との間で被介護者の移し替え作業を簡単にすることができる。さらに、前記スライドシートは、前記背もたれ部上の位置で、前記背もたれ部と平行な面内で、かつ、中心を回転中心として、少なくとも９０度回転可能となっていることにより、被介護者をスライドシートに載せたときに、被介護者の向きが前記走行車体の前方を向いていなくても、被介護者の向きを前記走行車体の前方に変えやすくなるとともに、被介護者をスライドシート上から自動車の座席に移し替えるときに、被介護者の向きを移し替えやすい向きに変えることができる。そのため、例えば、お年寄り等の被介護者が丘陵地にあるお墓を参ろうとする場合においても、自動車の座席から介助用車椅子に移し替える際に必要な人手が少なくて済み、人手が少ないお年寄りでもお墓参りができる。
【手続補正５】
【補正対象書類名】明細書
【補正対象項目名】００１７
【補正方法】削除
【補正の内容】